(57)【要約】【課題】全体にボリューム感があり、泡立て効果に優れた石鹸泡立て具を提供する。【解決手段】細い合成繊維フィラメント糸を材料として筒状に編成された本体ネット１と、合成樹脂を材料として一体成形により筒状に周方向が伸縮自在に作られた補強用ネット２からなり、長さ方向中間部で折り返して２重構造となった本体ネット１で補強用ネット２を包んだ状態で本体ネット１の遊端部側開口部に吊り紐３の団子状の結び部３ａが位置するように吊り紐３を２重構造の本体ネット１内に差し込み、本体ネット１の遊端部側開口部を絞るように閉じて、吊り紐３を本体ネット１の折り返し端部側から引っ張り、本体ネット１で補強用ネット２を包んだ状態で全体を裏返してなる。【選択図】図２
2009061129.tif 000002
【特許請求の範囲】
【請求項１】
細い合成繊維フィラメント糸を材料として筒状に編成された本体ネットと、合成樹脂を材料として一体成形により筒状に周方向が伸縮自在に作られた補強用ネットからなり、長さ方向中間部で折り返して２重構造となった本体ネットで補強用ネットを包んだ状態で本体ネットの遊端部側開口部に吊り紐の団子状の結び部が位置するように吊り紐を２重構造の本体ネット内に差し込み、本体ネットの遊端部側開口部を絞るように閉じて、吊り紐を本体ネットの折り返し端部側から引っ張り、本体ネットで補強用ネットを包んだ状態で全体を裏返してなることを特徴とする石鹸泡立て具。
【請求項２】
細い合成繊維フィラメント糸を材料として筒状に編成された本体ネットと、合成樹脂を材料として一体成形により筒状に周方向が伸縮自在に作られた補強用ネットを用い、補強用ネットを多重に折り返した状態で本体ネットの長さ方向中間部に被せ、かかる状態で本体ネットで補強用ネットを包むように本体ネットを長さ方向中間部で折り返して２重構造とし、本体ネットで補強用ネットを包んだ状態で、本体ネットの遊端部同士を揃え、この状態で本体ネットの遊端部側開口部に吊り紐の団子状の結び部が位置するように吊り紐を２重構造の本体ネット内に差し込み、かかる状態で本体ネットの遊端部側開口部を絞るように閉じて、吊り紐を本体ネットの折り返し端部側から引っ張っても団子状の結び部が絞り部で止まって抜けないように構成され、吊り紐を本体ネットの折り返し端部側から引っ張り、本体ネットで補強用ネットを包んだ状態で全体を裏返すことを特徴とする石鹸泡立て具の製造方法。
【発明の詳細な説明】
【技術分野】
【０００１】
本発明は、洗面所や手洗い所などにおいて使用される石鹸を擦りつけ泡立てて使用するようにした石鹸泡立て具およびその製造方法に関するものである。
【背景技術】
【０００２】
従来、この種石鹸泡立て具として、例えば特許文献１に開示されているような洗顔用泡立て具が知られている。この特許文献１に開示されている洗顔用泡立て具は、筒形のネット素材を一端から内外を反転させつつ折り返して、折り返し端部に開口部を備え、他端部を閉じた多重ネット袋を形成し、この多重ネット袋を洗顔料とともに湿潤して外側から揉んで細かな泡を立てられるようにしたものである。
【特許文献１】特開２０００−２４５６４９号公報
【発明の開示】
【発明が解決しようとする課題】
【０００３】
上記特許文献１に開示されているものでは、前記開口部より固形の石鹸を入れるか、多重ネット袋に液状の洗顔料を含ませるかして洗顔用泡立て具に適度の水をかけた状態で揉むことにより泡立て、この泡は洗顔用泡立て具の他端部側から一端部側に搾り出されて掌で受けて使用するものであるが、洗顔用泡立て具は多重ネット構造になっているものの搾り出し時において紐状に延びるようなものであってボリューム感がなく、泡立て効果に劣るという問題があった。
【０００４】
本発明の目的は、このような課題を解決するものであり、全体にボリューム感があり、泡立て効果に優れた石鹸泡立て具およびその製造方法を提供することにある。
【課題を解決するための手段】
【０００５】
本発明の請求項１に記載の石鹸泡立て具は、細い合成繊維フィラメント糸を材料として筒状に編成された本体ネットと、合成樹脂を材料として一体成形により筒状に周方向が伸縮自在に作られた補強用ネットからなり、長さ方向中間部で折り返して２重構造となった本体ネットで補強用ネットを包んだ状態で本体ネットの遊端部側開口部に吊り紐の団子状の結び部が位置するように吊り紐を２重構造の本体ネット内に差し込み、本体ネットの遊端部側開口部を絞るように閉じて、吊り紐を本体ネットの折り返し端部側から引っ張り、本体ネットで補強用ネットを包んだ状態で全体を裏返してなることを特徴とする。
【０００６】
請求項２に記載の石鹸泡立て具の製造方法は、細い合成繊維フィラメント糸を材料として筒状に編成された本体ネットと、合成樹脂を材料として一体成形により筒状に周方向が伸縮自在に作られた補強用ネットを用い、補強用ネットを多重に折り返した状態で本体ネットの長さ方向中間部に被せ、かかる状態で本体ネットで補強用ネットを包むように本体ネットを長さ方向中間部で折り返して２重構造とし、本体ネットで補強用ネットを包んだ状態で、本体ネットの遊端部同士を揃え、この状態で本体ネットの遊端部側開口部に吊り紐の団子状の結び部が位置するように吊り紐を２重構造の本体ネット内に差し込み、かかる状態で本体ネットの遊端部側開口部を絞るように閉じて、吊り紐を本体ネットの折り返し端部側から引っ張っても団子状の結び部が絞り部で止まって抜けないように構成され、吊り紐を本体ネットの折り返し端部側から引っ張り、本体ネットで補強用ネットを包んだ状態で全体を裏返すことを特徴とする。
【発明の効果】
【０００７】
以上のように、本発明の石鹸泡立て具およびその製造方法は、２重構造の本体ネットで補強用ネットを包んでいるので、全体にボリューム感のある石鹸泡立て具が得られ、泡立て効果に優れ、石鹸泡立て具に適量の水をかけて固形石鹸を擦りつけるか液状の洗顔料を含ませた状態で全体を揉むことにより泡立て、この泡を石鹸泡立て具から搾り取って掌で受けて手の洗浄や洗顔などに使用することができる。特に、本体ネットの中に補強用ネットが包まれて存在するので、石鹸泡立て具の保形効果が得られ、しかも泡立て効果の向上を図ることができる。また、本発明の石鹸泡立て具の製造方法によれば、縫製などのための器具類を用いることなく、ボリューム感のある石鹸泡立て具を簡単に作ることができる。
【発明を実施するための最良の形態】
【０００８】
以下、本発明の一実施の形態を、図１〜図５に基づいて説明する。
図において、１は細い合成繊維フィラメント糸を材料として円形編機により筒状に編成された柔軟性に富み周方向が伸縮自在に作られた本体ネット、２は合成樹脂を材料として一体成形により筒状に周方向が伸縮自在に作られた補強用ネットで、この補強用ネット２も柔軟性はあるが、前記本体ネット１よりも多少硬さが存在するように作られている。
【０００９】
なお、前記本体ネット１の原長さは約２３ｃｍであり、補強用ネット２の原長さは約４５ｃｍである。
前記補強用ネット２は長さ方向中間部で折り返して２重構造とし、かかる状態の長さ方向中間部で折り返して４重構造とし、この４重構造の補強用ネット２を前記本体ネット１の長さ方向中間部に被せる。かかる状態で本体ネット１で補強用ネット２を包むように本体ネット１を長さ方向中間部で折り返して２重構造とする。これにより４重構造の補強用ネット２も長さ方向中間部で折り返されて８重構造となる。
【００１０】
このように２重構造の本体ネット１で８重構造の補強用ネット２を包んだ状態で、前述のように折り返された本体ネット１の遊端部同士を揃え、この状態で本体ネット１の遊端部側開口部に吊り紐３を差し込む。吊り紐３は両端が団子状に結ばれており、本体ネット１の遊端部側開口部に吊り紐３を差し込む際、団子状の結び部３ａが本体ネット１の遊端部から外に僅かに突出するように差し込む。かかる状態で面状ファスナー４により本体ネット１の遊端部側開口部を絞るように閉じ、吊り紐３を本体ネット１の折り返し端部側から引っ張っても団子状の結び部３ａが面状ファスナー４による絞り部で止まって抜けないように構成される。上記のように本体ネット１の遊端部側開口部が面状ファスナー４により絞られた後、吊り紐３を本体ネット１の折り返し端部側から引っ張り、本体ネット１で補強用ネット２を包んだ状態で全体を裏返すことにより、ボリューム感のある石鹸泡立て具が完成する。なお、前記団子状の結び部３ａは内部に隠れた状態で、吊り紐３を引っ張っても抜け外れないものである。
【００１１】
ところで、前記石鹸泡立て具を構成する補強用ネット２は目が粗いが、本体ネット１は目が細かく、水を通すことができる程度に細かいメッシュ状に編まれている。
以上の構成の石鹸泡立て具を使用する場合、手洗い所や洗面所などにおいて吊り紐３がフック５などに引っ掛けられた状態から吊り紐３をフック５などから外し、石鹸泡立て具に適量の水をかけて固形石鹸を擦りつけるか液状の洗顔料を含ませた状態で全体を揉むことにより泡立て、この泡を石鹸泡立て具から搾り取って掌で受けて手の洗浄や洗顔などに使用するものである。本石鹸泡立て具は本体ネット１の中に補強用ネット２が包まれているので、石鹸泡立て具をボリュームのある形に保ち、泡立て効果も優れたものとなる。
【００１２】
ところで、本石鹸泡立て具で泡立てられる石鹸とは固形石鹸は勿論、液状の洗顔料などを含むものである。
また、前記本体ネット１の遊端部側開口部を絞るように閉じるために面状ファスナー４を用いているが、粘着テープや結束バンドなどを用いても良い。
【図面の簡単な説明】
【００１３】
【図１】本発明の一実施の形態における石鹸泡立て具の本体ネットおよび補強用ネットの斜視図である。
【図２】（ａ）〜（ｅ）は石鹸泡立て具の製造手順を示す斜視図である。
【図３】同完成された石鹸泡立て具の斜視図である。
【図４】同完成された石鹸泡立て具の断面図である。
【図５】同石鹸泡立て具をフックに吊り下げた状態を示す斜視図である。
【符号の説明】
【００１４】
１      本体ネット
２      補強用ネット
３      吊り紐
３ａ    結び部
４      面状ファスナー
５      フック
【図１】
2009061129.tif 000003
【図２】
2009061129.tif 000004
【図３】
2009061129.tif 000005
【図４】
2009061129.tif 000006
【図５】
2009061129.tif 000007